(57)【特許請求の範囲】
【請求項１】
一次熱交換器、二次熱交換器、シスターン、循環ポンプを含む温水循環系統を備えた潜熱回収型熱源機と、温水端末器と、を含む温水暖房システムを利用する温水端末器冷却システムであって、
該温水循環系統は、機内循環系統と、往き側系統と、戻り側系統と、を備え、
該機内循環系統は、該シスターンと、該循環ポンプと、該一次熱交換器と、を結ぶ機内循環配管群により構成され、
該往き側系統は、高温往き側配管と、低温往き側配管と、を備え、かつ、
該高温往き側配管は、該機内循環系統の該一次熱交換器出側から分岐して、機外高温端末器入側に接続するように構成され、
該低温往き側配管は、該機内循環系統の該循環ポンプ出側から分岐して、機外低温端末器入側に接続するように構成され、
該戻り側系統は、高温端末器出側と戻り側合流点を結ぶ高温戻り側配管と、低温端末器出側と戻り側合流点を結ぶ低温戻り側配管と、戻り側合流点と該二次熱交換器を結ぶ戻り側合流配管と、により構成され、
該熱源機は、水散布用給水配管と水散布ノズルとを含む第一の水散布手段を、さらに備え、かつ、
燃焼停止状態において、該第一の水散布手段により二次熱交換器表面に冷水を散布して、二次熱交換器内を通過する循環水から蒸発潜熱を奪ってこれを冷却し、冷却循環水を温水端末器に供給する、該二次熱交換器を含む該温水循環系統を利用して冷水運転可能に構成したことを特徴とする温水端末器冷却システム。
【請求項２】
前記機内循環系統の前記循環ポンプと前記一次熱交換器を結ぶ経路内の、前記低温往き側配管との分岐下流側に機内循環系統開閉弁を、さらに備え、
前記冷水運転時に、前記シスターン内の貯水を前記一次熱交換器を迂回して、直接、前記低温端末器に供給可能に構成したことを特徴とする請求項１に記載の温水端末器冷却システム。
【請求項３】
前記温水循環系統は、前記低温往き側配管と前記高温往き側配管を結ぶバイパス配管と、該バイパス配管経路内にバイパス開閉弁と、をさらに備え、
前記冷水運転時に、前記シスターン内の貯水を前記一次熱交換器を迂回して、直接、前記高温端末器に供給可能に構成したことを特徴とする請求項２に記載の温水端末器冷却システム。
【請求項４】
前記循環ポンプは、前記冷水運転時に、放熱量減少を目的とする低回転数運転を可能に構成したことを特徴とする請求項１乃至３のいずれかに記載の温水端末器冷却システム。
【請求項５】
前記散布用給水配管内を通過する給水と、前記戻り側合流配管内を流れる戻り循環水と、を熱交換させるための予冷用熱交換器を、さらに備えたことを特徴とする請求項１乃至３のいずれかに記載の温水端末器冷却システム。
【請求項６】
前記熱源機は、前記高温往き側配管と前記高温戻り側配管とを結ぶ機内追焚配管及び風呂追焚熱交換器を含む風呂追焚系統と、該風呂追焚熱交換器内を通過する給水配管と、をさらに備え、かつ、
該給水配管内を通過する冷水と、該機内追焚配管内を通過する循環水とを、熱交換可能に構成したことを特徴とする請求項１乃至５のいずれかに記載の温水端末器冷却システム。
【請求項７】
前記熱源機は、第二の水散布手段を、さらに備え、
該第二の水散布手段は、暖房運転時の潜熱回収に伴う凝縮水排水のためのドレン配管から分岐して、前記二次熱交換器上方に再循環するドレン再循環配管と、ドレン再循環のためのドレンポンプと、該ドレン再循環配管の末端側に第二の水散布ノズルと、をさらに備え、
前記第一の水散布手段による水散布時に生じるドレンを再循環して、該第二の水散布手段により再度水散布可能に構成したことを特徴とする請求項１乃至６のいずれかに記載の温水端末器冷却システム。
【発明の詳細な説明】
【技術分野】
【０００１】
本発明は、潜熱回収型熱源機の温水循環系統を利用した暖房用端末器冷却システムに係る。
【背景技術】
【０００２】
従来、輻射冷熱による室内冷房装置として、天井材、床材等の表面部材の内部配管に冷媒を循環させて床面等を冷却する方式が公知である。この方式は冷風を室内に吹き出す方式と比較して快適性に優れるものの、部屋の表面部材が室内空気の露点以下になると、結露発生による建材の腐食、カビの発生という問題がある。
このような問題を解消する冷房装置として、例えば特許文献１の技術が提案されている。この技術による室内冷房装置１００は、多孔板や不織布等により構成される気液接触体１０１に往き側配管１０３ａを介して冷却用循環水を供給し、気液接触体１０１上に流下させる。冷却用循環水は、ダクト１０５を介して気液接触体１０１下方に供給される室内空気と気液接触し、その過程で接触空気に蒸発潜熱を奪われて冷却される。さらに、戻り配管１０３ｂにより部屋１０２側に戻され、表面部材１０４を冷却する。一方、熱回収した空気は、ファン１０６、排気口１０７を介して屋外１０８に排気される。
この方式は蒸発潜熱を利用するものであるため、冷却水は接触空気の露点温度近傍まで冷却され得るものの、露点温度以下に冷却されることはなく、結露のおそれがないという特徴を有している。
【先行技術文献】
【特許文献】
【０００３】
【特許文献１】特開平９−２９０１２１号公報
【発明の開示】
【発明が解決しようとする課題】
【０００４】
しかしながら、この方式では循環水を外気と気液接触させるための専用の装置が必要となる。また、冬季の暖房システムと兼用にするためには、回路切替機構等の付随設備も必要となりコストアップ要因となる。さらに、熱交換が気液接触、すなわち開放式熱交換であるため、循環水が外気に晒されることによる水質悪化や、蒸発により失われる水の補給等の問題もある。
【課題を解決するための手段】
【０００５】
本発明は、このような問題を解決するためのものであって、専用の装置、設備を必要とすることのない温水端末器冷却システムを提供するものである。
本発明は、以下の内容をその要旨とする。すなわち、本発明に係る温水端末器冷却システムは、
【０００６】
（１）一次熱交換器、二次熱交換器、シスターン、循環ポンプを含む温水循環系統を備えた潜熱回収型熱源機と、温水端末器と、を含む温水暖房システムを利用する温水端末器冷却システムであって、
該熱源機は、水散布用給水配管と水散布ノズルとを含む第一の水散布手段を、さらに備え、かつ、
燃焼停止状態において、該第一の水散布手段により二次熱交換器表面に冷水を散布して、二次熱交換器内を通過する循環水から蒸発潜熱を奪ってこれを冷却し、冷却循環水を温水端末器に供給する、冷水運転可能に構成したことを特徴とする。
【０００７】
（２）上記発明において、前記温水循環系統は、機内循環回路と、往き側系統と、戻り側系統と、を備え、
該機内循環系統は、前記シスターンと、前記循環ポンプと、前記一次熱交換器と、を結ぶ機内循環配管群により構成され、
該往き側系統は、高温往き側配管と、低温往き側配管と、を備え、かつ、
該高温往き側配管は、該機内循環系統の前記一次熱交換器出側から分岐して、機外高温端末器入側に接続するように構成され、
該低温往き側配管は、該機内循環系統の前記循環ポンプ出側から分岐して、機外低温端末器入側に接続するように構成され、
該戻り側系統は、高温端末器出側と戻り側合流点を結ぶ高温戻り側配管と、低温端末器出側と戻り側合流点を結ぶ低温戻り側配管と、戻り側合流点と前記二次熱交換器を結ぶ戻り側合流配管と、により構成され、
て成ることを特徴とする。
【０００８】
（３）上記発明において、前記機内循環系統の前記循環ポンプと前記一次熱交換器を結ぶ経路内の、前記低温往き側配管との分岐下流側に機内循環系統開閉弁を、さらに備え、
前記冷水運転時に、前記シスターン内の貯水を前記一次熱交換器を迂回して、直接、前記低温端末器に供給可能に構成したことを特徴とする。
【０００９】
（４）上記発明において、前記温水循環系統は、前記低温往き側配管と前記高温往き側配管を結ぶバイパス配管と、該バイパス配管経路内にバイパス開閉弁と、をさらに備え、
前記冷水運転時に、前記シスターン内の貯水を前記一次熱交換器を迂回して、直接、前記高温端末器に供給可能に構成したことを特徴とする。
【００１０】
（５）上記各発明において、前記循環ポンプは、前記冷水運転時に、放熱量減少を目的とする低回転数運転を可能に構成したことを特徴とする。
【００１１】
（６）上記各発明において、前記散布用給水配管内を通過する給水と、前記戻り側合流配管内を流れる戻り循環水と、を熱交換させるための予冷用熱交換器を、さらに備えたことを特徴とする。
【００１２】
（７）上記各発明において、前記熱源機は、前記高温往き側配管と前記高温戻り側配管とを結ぶ機内追焚配管及び風呂追焚熱交換器を含む風呂追焚系統と、該風呂追焚熱交換器内を通過する給水配管と、をさらに備え、かつ、
該給水配管内を通過する冷水と、該機内追焚配管内を通過する循環水とを、熱交換可能に構成したことを特徴とする。
【００１３】
（８）上記各発明において、前記熱源機は、第二の水散布手段を、さらに備え、
該第二の水散布手段は、暖房運転時の潜熱回収に伴う凝縮水排水のためのドレン配管から分岐して、前記二次熱交換器上方に再循環するドレン再循環配管と、ドレン再循環のためのドレンポンプと、該ドレン再循環配管の末端側に第二の水散布ノズルと、をさらに備え、
前記第一の水散布手段による水散布時に生じるドレンを再循環して、該第二の水散布手段により再度水散布可能に構成したことを特徴とする。
【発明の効果】
【００１４】
本発明によれば、循環水冷却のための専用装置を必要とすることなく、１台の熱源機のみで端末装置について冬季の暖房と夏季の冷却を兼用することができ、システムの簡素化、低コスト化が可能となる。
また、密閉式熱交換方式であるため、外気との接触による循環水の水質悪化のおそれがなく、また蒸発水の補給も必要としないという効果がある。
【図面の簡単な説明】
【００１５】
【図１】第一の実施形態による温水端末器冷却システム１の構成を示す図である。
【図２】温水循環回路Ａの温水循環経路を示す図である。
【図３】温水循環回路Ｂの温水循環経路を示す図である。
【図４】温水循環回路Ｃの温水循環経路を示す図である。
【図５】第一の実施形態における床暖房パネル冷却時の冷水循環の態様を示す図である。
【図６】第一の実施形態における浴室内冷却時の冷水循環の態様を示す図である。
【図７】第二の実施形態（温水端末器冷却システム２０）における床暖房パネル冷却時の冷水循環の態様を示す図である。
【図８】第二の実施形態における浴室内冷却時の冷水循環の態様を示す図である。
【図９】第三の実施形態による温水端末器冷却システム３０の構成を示す図である。
【図１０（ａ）】第四の実施形態による温水端末器冷却システム４０の構成を示す図である。
【図１０（ｂ）】第四の実施形態における床暖房パネル冷却時の冷水循環の態様を示す図である。
【図１１】第五の実施形態による温水端末器冷却システム５０の構成を示す図である。
【図１２】温水循環系統を利用した従来の室内冷房装置１００の構成を示す図である。
【発明を実施するための形態】
【００１６】
以下、本発明に係る温水端末器冷却システムの実施形態について、図１乃至１１を参照してさらに詳細に説明する。重複説明を避けるため、各図において同一構成には同一符号を用いて示している。なお、本発明の範囲は特許請求の範囲記載のものであって、以下の実施形態に限定されないことはいうまでもない。
【００１７】
＜第一の実施形態＞
図１を参照して、本発明の一実施形態に係る温水端末器冷却システム１は、二次熱交換器への水散布手段（第一の水散布手段）７を備えた潜熱回収型熱源機２と、低温放熱端末器である床暖房パネル３と、高温放熱端末器である浴室乾燥暖房機４と、これら装置間を結ぶ温水循環系統８乃至１０と、を主要構成として備えている。
熱源機２は、バーナ５ｃ、燃焼用ファン５ｄ、一次熱交換器５ｂ、二次熱交換器（潜熱回収熱交換器）５ａ、排気部５ｅを一体化した暖房用燃焼部５と、温水循環配管（後述）と、を主要構成として筐体２ａ内部に備えている。なお、図示を省略するが、熱源機２はこの他に給湯系統、風呂追焚系統及び運転制御を行う制御部を備えている。
熱源機２は、さらに二次熱交換器５ａの上方に熱交換器表面に冷水を散布するための水散布手段７を備えている。水散布手段７は散布用給水配管７ａ、水散布ノズル７ｂ、水散布用開閉弁７ｃにより構成されている。二次熱交換器５ａの下方には、暖房時の潜熱回収に伴う凝縮水及び後述する未蒸発水回収のためのドレン受け皿１１ａと、中和器１１ｂを経由して凝縮水を排水口（図示せず）に導く排水管１１ｃと、により構成されるドレン排水手段１１を備えている。
【００１８】
温水端末器冷却システム１の温水循環系統は、往き側系統８と、戻り側系統９と、機内循環系統１０と、により構成されている。
機内循環系統１０は、開放型シスターン６、循環ポンプ１０ｂ、一次熱交換器５ｂ、及びこれらを結ぶ循環配管Ｃ１乃至Ｃ３により構成されている。シスターン６は、暖房運転時の配管内温水膨張に対するバッファタンクであり、温水が所定の水位以上に上昇すると、不図示のオーバーフロー管を介して外部に排水するように構成されている。また、シスターン６には、給水配管７ａから分岐する補給水配管６ａ及び制御弁６ｂが付設されており、タンク水位を一定範囲に制御可能とするように構成されている。
【００１９】
往き側系統８は、高温系統８ａ及び低温系統８ｂにより構成されている。高温系統８ａは、浴室乾燥暖房機４と、分岐点Ｐ１で循環配管Ｃ１から分岐して浴室乾燥暖房機４に接続する高温往き側配管Ｈ１、Ｈ１’と、により構成されている。高温往き側配管Ｈ１’の端部には開閉弁Ｖ２が配設されている。また、低温系統８ｂは床暖房パネル３と、分岐点Ｐ２で循環配管Ｃ３から分岐して床暖房パネル３に接続する低温往き側配管Ｌ１、Ｌ１’と、により構成されている。機内低温往き側配管Ｌ１の端部には熱動弁Ｖ１が配設されている。
戻り側系統９は、分岐部９ａ及び集合部９ｂにより構成されている。分岐部９ａは、各端末から合流点Ｐ３に至る高温戻り側配管Ｈ２と、低温戻り側配管Ｌ２と、により構成されている。また、集合部９ｂは、合流点Ｐ３と二次熱交換器５ａとを結ぶ合流配管Ｊ１’、Ｊ１と、二次熱交換器５ａとシスターン６とを結ぶ配管Ｊ２と、により構成されている。
【００２０】
以上の構成により、本システム１において暖房運転時には、表１及び図２乃至図４に示す３種類の温水循環回路Ａ乃至Ｃが形成される。そして、各端末器の運転条件に対応して３種類の循環回路の単独又は組み合わせによる温水循環が行われ、暖房運転される。なお、循環温水温度は暖房用燃焼部５の燃焼量制御により調整される。
【００２１】
【表１】
0005697474.tif 000002
【００２２】
（床暖房パネル冷却）
温水端末器冷却システム１は以上のように構成されており、次に図５を参照して夏季等における本システムの床暖房パネル冷却の態様について説明する。この場合、各部の稼働状態は表２の通りとなる。
【表２】
0005697474.tif 000003
【００２３】
この状態で、循環水は同図太線に示すように、低温循環回路Ｂ及び機内循環回路Ｃ内を循環する。さらに、給水配管７ａを介して供給される冷水（水道水）が水散布ノズル７ｂから二次熱交換器５ａ表面に散布され、二次熱交換器５ａ内を流れる循環水から蒸発熱を奪って蒸発する。蒸発した水分は、循環ファン４ｃによる送風に随伴して、排気部５ｅを経由して外部に排出される。未蒸発の水は受け皿１１ａに滴下し、排水管１１ｃを経由して最終的に不図示の排水口に導かれる。
一方、二次熱交換器５ａにおいて蒸発熱を奪われて露点温度近傍に冷却された循環水は、低温循環回路Ｂを介して床暖房パネル３に供給され、冷熱により表面パネルを冷却する。しかしながら、上述のように蒸発温度は常に室内露点温度より高くはならないため、パネル表面に結露することはない。
なお、冷水運転時は循環ポンプ１０ｂの回転数を暖房運転時より下げることが望ましい。これにより、ポンプ発熱による冷却効果の低下を回避することができる（以下の各実施形態においても同様）。
【００２４】
（浴室内冷却）
次に、図６を参照して浴室内冷却の態様について説明する。各部の稼働状態は表３の通りである。
【表３】
0005697474.tif 000004
【００２５】
この状態で、循環水は同図太線に示すように、高温循環回路Ａ及び機内循環回路Ｃ内を循環する。二次熱交換器５ａ表面への給水散布の態様は、床暖房パネル冷却の場合と同様である。一方、二次熱交換器５ａにおいて室内露点温度程度に冷却された循環水は、高温循環回路Ａを通って浴室乾燥機４に供給され、ここで循環ファン４ｃにより浴室内空気と熱交換する。冷却された循環空気により、浴室内冷却が可能となる。なお、床暖房パネル冷却の場合と同様、蒸発温度は常に室内露点温度以上であるため、循環空気による浴室内カビ発生のおそれはない。
なお、夏季にミストサウナや衣類乾燥など温水利用が必要な場合には、冷水運転を一時待機して温水循環を優先する制御とすることもできる。
【００２６】
＜第二の実施形態＞
次に、図７、８を参照して本発明の他の実施形態について説明する。本実施形態に係る温水端末器冷却システム２０の構成が、上述の温水端末器冷却システム１の構成と異なる点は、循環配管Ｃ３の分岐点Ｐ２と一次熱交換器５ｂの間に、開閉弁（機内循環系統開閉弁）２１を備えていることである。また、低温往き側配管Ｌ１と高温往き側配管Ｈ１の分岐点Ｐ１上流側とを結ぶバイパス配管２２、及び、バイパス配管２２経路中に開閉弁（バイパス開閉弁）２２ａを備えていることである。その他の構成は温水端末器冷却システム１と同一であるので、重複説明を省略する。
【００２７】
（床暖房パネル冷却）
次に、図７を参照して、本実施形態における床暖房パネル冷却の態様について説明する。各部の稼働状態については表２に加え、開閉弁２１→閉、開閉弁２２ａ→閉である。
この状態で、循環水は同図太線に示すように、低温循環回路Ｂ内のみを循環し、機内循環回路Ｃには流れが形成されない。二次熱交換器５ａ表面への給水散布については、床暖房パネル冷却の場合と同様である。
本実施形態では、二次熱交換器５ａで冷却された循環水が一次熱交換器５ｂを通過しないため、燃焼用ファン５ｄにより外気による再加熱がなく、循環冷水による冷却効果がより有効に機能する。
【００２８】
（浴室冷却）
次に図８を参照して、本実施形態における浴室冷却の態様について説明する。各部位の稼働状態は、表３に加えて開閉弁２１→閉、開閉弁２２ａ→開である。
この状態で、循環水は同図太線に示すように、高温循環回路Ａ内のみを循環し、機内循環回路Ｃには流れが形成されない。二次熱交換器５ａ表面への給水散布については、床暖房パネル冷却の場合と同様である。
この場合も、上述の床暖房パネル冷却の場合と同様に、二次熱交換器５ａで冷却された循環水が一次熱交換器５ｂを通過しないため、燃焼用ファン５ｄの送風による再加熱がなく、循環冷水による浴室内冷却効果がより有効に機能する。
【００２９】
＜第三の実施形態＞
さらに、図９を参照して他の実施形態について説明する。本実施形態に係る温水端末器冷却システム３０の構成が、温水端末器冷却システム１の構成と異なる点は、戻り側系統９と水散布手段７の間で熱交換を行う熱交換器３１を備えていることである。具体的には、熱交換器３１は、集合部９ｂの合流配管Ｊ１内を流れる戻り側循環水と、給水配管７ａを流れる冷水とを熱交換させている。その他の構成は温水端末器冷却システム１と同一であるので、重複説明を省略する。
かかる構成により、温水端末器冷却システム３０では合流配管Ｊ１を経由して二次熱交換器５ａに戻る水が、給水配管７ａ内を流れる水道水により予冷されるため、温水端末器に供給される冷水温度をさらに低下させることができ、冷却効果をより高めることができる。
【００３０】
＜第四の実施形態＞
さらに、図１０（ａ）、１０（ｂ）を参照して、本発明の他の実施形態について説明する。本実施形態は、風呂追焚熱交換器を利用して循環水を冷却するシステムに係る。
本実施形態に係る温水端末器冷却システム４０の構成が上述の温水端末器冷却システム３０の構成と異なる点は、風呂追焚系統４５の風呂追焚熱交換器４１内に給水配管４４を通過させるように構成していることである。風呂追焚系統４５は、風呂追焚熱交換器４１、機内追焚配管４２、追焚用循環配管４３及び風呂循環ポンプ４３ａにより構成されている。給水配管４４及び機内追焚配管４２には、それぞれ開閉弁４４ａ、４２ａが配設されている。なお、本実施形態では、上述の実施形態において配設されている熱交換器３１は不要となる。かかる構成により、風呂追焚時には表４に示す追焚循環回路Ｄが形成される。
その他の構成は、温水端末器冷却システム１と同一であるので説明を省略する。
【００３１】
【表４】
0005697474.tif 000005
【００３２】
次に図１０（ｂ）を参照して、本実施形態における床暖房パネル冷却の態様について説明する。各部位の稼働状態は、表２に加えて開閉弁４４ａ→開、開閉弁４２ａ→開である。
この状態で、循環水は同図太線に示すように追焚循環回路Ｄを循環する。機内追焚配管４２を通過して二次熱交換器５ａに戻る循環水が、風呂追焚熱交換器４１において給水配管４４内を通過する冷水と熱交換して予冷される。これにより、上述の実施形態と同様に温水端末器に供給される冷水温度をさらに低下させることができ、冷却効果が高まる。なお、給水配管４４内を通過する予冷用給水を不図示の浴槽に落とし込むことにより、予冷用給水を捨てることなく有効利用可能である。
【００３３】
＜第五の実施形態＞
さらに、図１１を参照して本発明の他の実施形態について説明する。本実施形態に係る温水端末器冷却システム５０の構成が上述の温水端末器冷却システム１と異なる点は、水散布手段の構成である。すなわち、温水端末器冷却システム５０は第一の水散布手段７に加えて、第二の水散布手段５１を備えている。水散布手段５１は、排水管１１ｃから分岐する再循環配管５１ａ、水散布ノズル５１ｂ、水散布用開閉弁５１ｃにより構成されている。また、排水管１１ｃの経路中にドレンポンプ５２、排水用開閉弁５３を備えている。その他の構成は、温水端末器冷却システム１と同一であるので重複説明を省略する。
次に、本実施形態の温水端末器冷却時における二次熱交換器５ａ表面への水散布態様について説明する。各部位の稼働状態は、表２又は表３に加えてドレンポンプ５２→運転、開閉弁５１ｃ→開、開閉弁５３→閉である。
【００３４】
この状態で、給水配管７ａを介して供給される給水が水散布ノズル７ｂから二次熱交換器５ａ表面に散布され、未蒸発の給水は受け皿１１ａに滴下し、排水管１１ｃを経由して分岐点Ｐ９に至る。ここで開閉弁５３→閉であるため、ドレンポンプ５２の作用により再循環配管５１ａを介して水散布ノズル５１ｂに運ばれ、二次熱交換器５ａ表面に再度散布される。
なお、冷水の循環形態は上述の各実施形態と同様であるので、重複説明を省略する。
このような給水再循環により未蒸発の水を繰り返し使用できるため、排水される水量を減らすことが可能となり省エネ性の向上が図られる。
【００３５】
なお、本実施形態では第二の水散布手段５１は、水散布ノズル７ｂの他に水散布ノズル４１ｂを備える例を示したが、逆止弁等の逆流防止機構を介在させることにより、給水再循環配管５１ａを給水配管７ａに合流させて、水散布ノズルを共用する態様とすることも可能である。
【産業上の利用可能性】
【００３６】
本発明は、熱源、循環冷媒種類を問わず潜熱回収型熱交換器を備えた暖房システムに広く適用可能である。
【符号の説明】
【００３７】
１、２０、３０、４０、５０・・・・温水端末器冷却システム
２・・・・・潜熱回収型熱源機
３・・・・・床暖房パネル
４・・・・・浴室乾燥暖房機
５・・・・・暖房用燃焼部
６・・・・・開放型シスターン
７、５１・・・・・水散布手段
７ａ、４４・・・・散布用給水配管
７ｂ、５１ｂ・・・・水散布ノズル
７ｃ、５１ｃ・・・・水散布用開閉弁
８・・・・・往き側系統
９・・・・・戻り側系統
１０・・・・機内循環系統
１１・・・・ドレン排水手段
２１、２２ａ、４２ａ、４４ａ、５３、Ｖ２・・・・開閉弁
２２・・・・バイパス配管
３１・・・・熱交換器
４１・・・・風呂追焚熱交換器
４２・・・・機内追焚配管
４３・・・・追焚用循環配管
４３ａ・・・風呂循環ポンプ
４５・・・・風呂追焚系統
５１ａ・・・再循環配管
５２・・・・ドレンポンプ
Ｖ１・・・・熱動弁
【図１】
0005697474.tif 000006
【図２】
0005697474.tif 000007
【図３】
0005697474.tif 000008
【図４】
0005697474.tif 000009
【図５】
0005697474.tif 000010
【図６】
0005697474.tif 000011
【図７】
0005697474.tif 000012
【図８】
0005697474.tif 000013
【図９】
0005697474.tif 000014
【図１０（ａ）】
0005697474.tif 000015
【図１０（ｂ）】
0005697474.tif 000016
【図１１】
0005697474.tif 000017
【図１２】
0005697474.tif 000018